(57)【要約】　　　（修正有）【課題】建造物その他の開口部の目隠し、防火、防犯、採光、通気、調光、視野確保等複合的な機能を有し、耐久性、意匠性に優れる。【解決手段】複数のルーバー２を縦方向に所定間隔で並立させ、外側通気・通光案内部と内側通気・通光案内部とを有するセラミック材で形成するとともに、各ルーバーを相互に連結し、開閉装置３の動作により各ルーバー間の間隙を自在に設定可能にした。【選択図】　　図１
0003098637.tif 000002
【実用新案登録請求の範囲】
【請求項１】
建造物その他の開口部における目隠し、防火、防犯、採光、通気、調光、視野確保のために複数のルーバーを縦方向または横方向に所定間隔で並立させてなるルーバー装置であって、前記ルーバーはセラミック材で形成したことを特徴とするルーバー装置。
【請求項２】
請求項１記載のルーバー装置において、前記ルーバーは外側通気・通光案内部と内側通気・通光案内部とを有して、板状体であることを特徴とするルーバー装置。
【請求項３】
請求項２記載のルーバー装置において、前記ルーバーはその長手方向に貫通孔を有してこの貫通孔に挿通される支持軸により所定位置に軸支されていることを特徴とするルーバー装置。
【請求項４】
請求項３記載のルーバー装置において、開閉装置を設け各ルーバーは貫通孔に挿通される支持軸廻りに同時に回動するように相互に連結し、開閉装置の動作により各ルーバー間の間隙を自在に設定可能にしたことを特徴とするルーバー装置。
【請求項５】
請求項４記載のルーバー装置において、前記ルーバーは長手方向に直角な断面が略長円形状であることを特徴とするルーバー装置。
【請求項６】
請求項４記載のルーバー装置において、前記ルーバーはその両端部に薄板部を設けルーバーの閉じ状態時に隣接するルーバーの前記各薄板部が重なり合ってルーバー相互により形成される面がほぼ面一となるようにしたことを特徴とするルーバー装置。
【請求項７】
請求項１ないし６いずれか記載のルーバー装置において、前記ルーバーには長手方向に複数の貫通細孔を形成したことを特徴とするルーバー装置。
【請求項８】
建造物その他の開口部における目隠し、防火、防犯、採光、通気、調光、視野確保のために複数のルーバーを縦方向または横方向に所定間隔で並立させてなるルーバー装置のためのセラミック製の板状ルーバーであって、外側通気・通光案内部と内側通気・通光案内部とを有して、長手方向に直角な断面が略長円形状に形成したことを特徴とするルーバー。
【請求項９】
建造物その他の開口部における目隠し、防火、防犯、採光、通気、調光、視野確保のために複数のルーバーを縦方向または横方向に所定間隔で並立させてなるルーバー装置のためのセラミック製の板状ルーバーであって、前記ルーバーにはその両端部に外側通気・通光案内部と内側通気・通光案内部とを構成する薄板部を設けて、ルーバーの閉じ状態時に隣接するルーバーの前記各薄板部が重なり合ってルーバー相互により形成される面がほぼ面一となるようにしたことを特徴とするルーバー。
【考案の詳細な説明】
【０００１】
【考案の属する技術分野】
本願考案は、建造物あるいはこれに付随する構築物の開口部に設置して目隠し、防火、防犯、採光、通気、調光、視野確保等の各種作用を実現できるルーバー装置ならびにこれに使用するルーバーに関するものである。
【０００２】
【従来の技術】
従来、建造物あるいはこれに付随する構築物の開口部に設置して目隠し、防火、防犯、採光、通気、調光、視野確保等の各種機能を複合的に有するものはなかった。　例えば、窓の日除けのためには布製のカーテンやプラスチック製のブラインド、竹製のすだれ等が用いられているが、これは単なる遮光ないしは目隠し手段であった。
【０００３】
【考案が解決しようとする課題】
本願考案は、従来の雨戸、カーテン等の単機能製品に替えて、建造物あるいはこれに付随する構築物の開口部の処理手段として目隠し、防火、防犯、採光、通気、調光、視野確保等の各種機能を複合的に発揮ししかも耐久性、意匠性に優れた新規なルーバー装置ならびにこれに使用するルーバーの実現を目的としている。
【０００４】
【課題を解決するための手段】
本願考案は、建造物その他の開口部における目隠し、防火、防犯、採光、通気、調光、視野確保のために複数のルーバーを縦方向または横方向に所定間隔で並立させてなるルーバー装置において、前記ルーバーをセラミック材で形成することにより上記課題を解決しようとするものである。
【０００５】
また、上記ルーバー装置において、前記ルーバーは外側通気・通光案内部と内側通気・通光案内部とを有して、板状体で構成することがある。
【０００６】
さらに、上記ルーバー装置において、前記ルーバーはその長手方向に貫通孔を有してこの貫通孔に挿通される支持軸により所定位置に軸支される構成となすことがある。
【０００７】
さらにまた、上記ルーバー装置において、開閉装置を設け各ルーバーは貫通孔に挿通される支持軸廻りに同時に回動するように相互に連結し、開閉装置の動作により各ルーバー間の間隙を自在に設定可能に構成することがある。
【０００８】
また、上記ルーバー装置において、前記ルーバーは長手方向に直角な断面が略長円形状に構成することがある。
【０００９】
さらに、上記ルーバー装置において、前記ルーバーはその両端部に薄板部を設けルーバーの閉じ状態時に隣接するルーバーの前記各薄板部が重なり合ってルーバー相互により形成される面がほぼ面一となるように構成することがある。
【００１０】
また、上記いずれかのルーバー装置において、前記ルーバーには長手方向に複数の貫通細孔を形成して軽量化を実現することがある。
上記従来の課題を解決しようとするものである。
【００１１】
本願考案はまた、建造物その他の開口部における目隠し、防火、防犯、採光、通気、調光、視野確保のために複数のルーバーを縦方向または横方向に所定間隔で並立させてなるルーバー装置のためのセラミック製の板状ルーバーにおいて、外側通気・通光案内部と内側通気・通光案内部とを有して、長手方向に直角な断面が略長円形状に形成して上記従来の課題を解決しようとするものである。
【００１２】
さらにまた、本願考案は、建造物その他の開口部における防犯、採光、通気、調光、視野確保のために複数のルーバーを縦方向または横方向に所定間隔で並立させてなるルーバー装置のためのセラミック製の板状ルーバーにおいて、前記ルーバーにはその両端部に外側通気・通光案内部と内側通気・通光案内部とを構成する薄板部を設けて、ルーバーの閉じ状態時に隣接するルーバーの前記各薄板部が重なり合ってルーバー相互により形成される面がほぼ面一となるように構成することにより上記従来の課題を解決しようとするものである。
【００１３】
【考案の実施形態】
以下、本願考案の実施形態を説明する。
図１は、本願考案の第１実施形態に係るルーバー装置の斜視図である。
図において、１は、建造物その他の開口部における目隠し、防火、防犯、採光、通気、調光、視野確保等のために複数のルーバー２、２．．．．．．を縦方向に所定間隔で並立させてなるルーバー装置であり、周知の開閉装置３により各ルーバー２は同時に回動するように相互に連結されている。　図１において、開閉装置３は支持軸５に回動自在に軸支される各ルーバー２の底部に連結されたコネクター３ａとプレート３ｂを回転可能に連結し、プレート３ｂを矢符方向に進退させて各ルーバー２の開閉ならびに各ルーバー２間の間隙を自在に設定可能にする構成を有しているが、このような動作を実現するものであればこれに限らず、他の種々の開閉装置を採用することができる。
【００１４】
ルーバー２は、図２に示すように全体としてほぼ板状体をなし長手方向に直角な断面が略長円形状、すなわち長円の長径方向の両端部をカットした形状を有してセラミック材で形成されている。２ａは、２ｂはルーバー２の湾曲側面により構成される外側通気・通光案内部および内側通気・通光案内部である。湾曲面により外部から空気、外光が内部にスムーズに誘導されることになる。　また、図において、４はルーバー２の長手方向に形成された貫通孔で、図１に示すように支持軸５が挿通されて各ルーバー２を所定位置に回転可能に軸支させる。
そして、６、６．．．．．．はルーバー２の長手方向に複数形成された貫通細孔でセラミック製ルーバー２の軽量化を実現する。
【００１５】
図３は、ルーバーの他の実施形態に係る一部切欠斜視図である。　図において、２１はセラミック製ルーバーであり、その両端部に薄板部２１ａ、２１ｂが設けられている。　したがって、図４に示すように、ルーバーの閉じ状態時には隣接するルーバー２１の前記各薄板部２１ａ、２１ｂが重なり合ってルーバー相互により形成される面がほぼ面一となり、遮蔽性が高まり防火、防犯等の機能も強化され意匠性も向上する。なお、２２，２３はそれぞれ斜面部で構成される外側通気・通光案内部と内側通気・通光案内部である。
【００１６】
図５は、図１に示したルーバー装置をブロック塀に組み込んだ場合の実施形態を示す正面図である。この実施形態において、ルーバー装置１はブロック塀１０に設けた開口部に上下２段にして組み込んであり、このため、上下それぞれのルーバー装置のルーバー位置を組み合わせることにより、採光、通気、視野確保等においてさまざまな調節が可能になる。
本願に係るルーバー装置の使用態様は、主として建造物における窓部の外側に設置して、防犯、採光、通気、調光、視野確保等の機能を発揮させることが多いと思われるが、このような使用態様とは別に、たとえばエアコン装置の室外機の排熱送風面に設置し、エアコン使用時にはルーバー装置を開として排熱送風を排出させ、不使用時にはルーバー装置を閉として室外機の保護、美観の確保等を図ることも可能である。
【００１７】
【考案の効果】
本願考案は、以上説明した構成作用により、建造物その他の開口部の目隠し、防火、防犯、採光、通気、調光、視野確保等において新規、有効な効果を得ることができる。
【図面の簡単な説明】
【図１】本願考案の１実施形態に係るルーバー装置を示す斜視図である。
【図２】ルーバーの１実施形態に係る一部切欠斜視図である。
【図３】他の実施形態に係る一部切欠斜視図である。
【図４】同上実施形態に係るルーバーの重なり合い並列状態を示す平面図である。
【図５】ルーバー装置をブロック塀に組み込んだ状態を示す正面図である。
【符号の説明】
１．．．．．．ルーバー装置
２、２１．．．ルーバー
３．．．．．．開閉装置
４．．．．．．貫通孔
５．．．．．．．．．．．．支持軸
【図１】
0003098637.tif 000003
【図２】
0003098637.tif 000004
【図３】
0003098637.tif 000005
【図４】
0003098637.tif 000006
【図５】
0003098637.tif 000007